(57)【要約】【課題】インターネット上の情報表示において、ネットワークに接続している複数のサーバーに存在する異種の映像、時系列データ、位置関連データを組み合わせて時間同期、空間同期を取って表示および蓄積するシステムを提供することである。【解決手段】インターネット異種情報混合同期表示蓄積システムにおいて、ネットワーク上に偏在する異種混合の複数のデータをＵＲＬで指定してアクセスし、データの種類をファイルの拡張子で判定し、各データが時間に依存して変化するデータおよび空間位置に依存して変化するデータである場合、各データの時間同期を取って再生、停止、指定時刻ジャンプの表示を行うと同時に、各データを該当する時間に該当する位置に配置して、地図上へ表示し、拡大、縮小表示する手段、を特徴として備えたシステムである。【選択図】      図２
2008090595.tif 000002
【特許請求の範囲】
【請求項１】
インターネット上の複数の情報を加工編集して表示するシステムにおいて、
ネットワーク上に偏在するデータをＵＲＬで指定してアクセスし、データの種類をファイルの拡張子で判定し、データの種類ごとに表示用のデータ構造と制御機能を生成して表示用の文書に埋め込み表示する手段、
を特徴として備えたインターネット異種情報混合同期表示蓄積システム。
【請求項２】
請求項１に記載のインターネット異種情報混合同期表示蓄積システムにおいて、
ネットワーク上に偏在する異種混合の複数のデータをそれぞれＵＲＬで指定してアクセスし、データの種類をファイルの拡張子で判定し、データが時間に依存して変化するデータである場合、各データの時間同期を取って再生、停止、指定時刻ジャンプの表示を行う手段
を特徴として備えた請求項１に記載のインターネット異種情報混合同期表示蓄積システム。
【請求項３】
請求項１に記載のインターネット異種情報混合同期表示蓄積システムにおいて、
ネットワーク上に偏在する異種混合の複数のデータをＵＲＬで指定してアクセスし、データの種類をファイルの拡張子で判定し、各データが空間位置に依存して変化するデータである場合、各データをその空間位置に配置したり、地図上の該当する位置に表示し、拡大、縮小した場合に連動して表示する手段、
を特徴として備えた請求項１に記載のインターネット異種情報混合同期表示蓄積システム。
【請求項４】
請求項１に記載のインターネット異種情報混合同期表示蓄積システムにおいて、
ネットワーク上に偏在する異種混合の複数のデータをＵＲＬで指定してアクセスし、データの種類をファイルの拡張子で判定し、各データが時間に依存して変化するデータおよび空間位置に依存して変化するデータである場合、各データの時間同期を取って再生、停止、指定時刻ジャンプの表示を行うと同時に、各データを該当する時間に該当する位置に配置して、地図上へ表示し、拡大、縮小表示する手段、
を特徴として備えた請求項１に記載のインターネット異種情報混合同期表示蓄積システム。
【発明の詳細な説明】
【技術分野】
【０００１】
インターネット上の情報の表示において、ネットワークに接続してある複数のサーバーに存在する異種の映像、時系列データ、位置関連データを組み合わせて時間同期、空間同期をとって表示・蓄積するインターネット異種情報混合同期表示蓄積システムに関する。
【背景技術】
【０００２】
テレビもデジタル化の時代を迎え、パソコンのような機能を有するようになってきた。例えば、一つのテレビで異なるチャンネルの番組を同時に表示したり、放映中の番組に文字情報をオプションで提供したり、副音声によるバイリンガルサービスなどが行われている。これらのサービスはアナログ時代からあったが、サービスを受けるには受信装置（テレビ）にそれなりの機能が備わっていなければならない。クイズ番組では、テレビに表示の問題やアンケートなどに視聴者が携帯電話やパソコンを使ってインターネットで答え、その結果をテレビ局が集計し表示するという時系列同期形番組といえるものもある。
【０００３】
インターネットでは、ホームページにバナー広告が添付されるものがある。バナー広告は、一般にページ画面の一部分を間借りしてウインドウ表示している。バナー広告も、異なる情報を同じ画面に表示する同期表示の一つといえる。ドリームテクノロジーズ社の「ＺＯＯＭＡ  Ｏｎｅ／Ｐｌｕｓ」（登録商標）というソフトウェアでは、分割して登録されている画像ファイルを一つに結合して表示したり、任意の二つのＺＯＯＭＡ（登録商標）画像を同期表示することができる。これを用いれば、インターネット上の地図情報を取得して表示することもできる。この場合、取得情報データはＺＯＯＭＡ（登録商標）変換が行われ、その後で統括表示や２分割同期変換が行われる。
【０００４】
特許文献１の『情報配信装置』では、画像、音声、データ等複数情報要素の組み合わせで構成される元情報を各要素に分離し、複数の情報媒体で配信先に配信し、配信先でその情報要素から必要なものだけを選択した後、情報を再構成して再生している。また情報要素間に時間的同時性が必要な場合は、情報要素を時間同期をとって配信するか、情報要素に時間同期情報を付加している。この案件を用いれば、テレビにおける英語／日本語の音声切換、日本語／英語の字幕切換などが行えるという。
【特許文献１】特開２００３−０３６２２２号公報
【発明の開示】
【発明が解決しようとする課題】
【０００５】
世界中で様々な活動が同時並行で行われている。そうした活動は映像、写真、観測結果、調査結果、論文、投稿など様々な形式で記録されている。現時点ではこうした記録を後から組み合わせて表示し、確認する方法がなく、手間をかけてデータを作り直ししないと、同期を取って表示することができない。こうした記録を組み合わせて同期を取って表示することができれば、データ間の関係確認や検証が容易になり、記録の価値を高め、様々な分野で従来無かった新しいコンテンツの作成やサービスの提供が可能になる。
【０００６】
前記のような同期表示実現のネックになっている課題を挙げると、以下の通りである。
（１）独立に入力された時間、もしくは位置に依存する複数のデータを一つのＷＷＷブラウザ画面に表示するには、データごとのオブジェクトを記述したＨＴＭＬ文書を作成する必要があり、手間がかかる。
（２）独立に入力された時間に依存する複数のデータを同期を取って表示するのが難しい。
（３）独立に入力された位置に依存する複数のデータを同一空間に表示するのが難しい。
（４）独立に入力された、時間と位置に依存する複数のデータを同一空間に同期を取って表示するのが難しい。
（５）同期表示するデータを追加したり、削除するのに手間がかかる。
【０００７】
背景技術で見てきたように、テレビでは複数の情報（異なるチャンネルの番組）を画面分割して同時に表示することができる。もちろん、そのためにはそれなりの機能を有した装置が必要である。この表示の仕方は、あくまでも独立した情報を独立して表示し、分割表示される番組間の関連はない。また番組の映像にオプションで字幕や副音を添付する方法は、同じ電波に異なる情報を載せて配信するものであり、情報を分離する装置が必要となる。
【０００８】
特許文献１の『情報配信装置』では、複数要素から構成される情報を各要素に分離し、異なる媒体で配信し、受取側で情報の選択・再構成を行っている。例としてテレビの字幕が挙げられているが、インターネットでも同じように行える。しかし、この方法は送り出す情報を要素に分離するというものであり、本発明が目指す異なる情報（異なるＵＲＬ）を対象にしたものでない。一方、ＺＯＯＭＡ（登録商標）では、異なる画像を画面分割して表示する機能を有しているが、対象が地図情報のみであり、画面分割は２分割表示となっている。
【０００９】
画面分割して複数の情報を同時に同じ画面に表示する機能がWindows（登録商標）にあるが、インターネット上の異なるＵＲＬの異なる情報を自動的に同期を取って同時表示する方法はない。このため、複数の映像や映像に関連した時系列データの同期を取って再生しようとすると、専用の入力装置と専用の表示装置を利用する必要がある。位置関連データを表示するにしても、特定の分野で専用のアプリケーションを利用する必要がある。
【００１０】
そこで本発明が解決しようとする課題は、インターネット上の情報表示において、ネットワークに接続している複数のサーバーに存在する異種の映像、時系列データ、位置関連データを組み合わせて時間同期、空間同期を取って表示および蓄積するシステムを提供することである。とくに本発明のサーバーをプラットホームとして組み込んでおくことによって、エンドユーザーに負担をかけずに本発明のメリットを享受できるようにすることが目的である。
【課題を解決するための手段】
【００１１】
上記の課題を解決するために、請求項１では、独立に入力された時間、もしくは位置に依存する複数のデータをＵＲＬで指定し、データの種類をファイルの拡張子で判定し、データの種類ごとに、表示用のデータ構造と制御機能を自動生成して表示用文書に埋め込み表示する手段を用いている。この手段を有するシステムを「インターネット異種情報混合同期表示蓄積システム」と呼ぶ。以下では、このシステムを略して「同期表示システム」と記す。この手段では、インターネット上に偏在するデータを取り出し、データの種類をファイルの拡張子で判定し、データの種類ごとに、予め用意した表示用のデータ構造と機能オブジェクトを生成して表示用文書のＨＴＭＬに表示用のデータ構造の埋め込みを行っている。複数の情報のレイアウトは同期表示システムが行う。同期表示システムをサーバーのプラットフォームに常駐させておけば、エンドユーザーは従来どおりのＵＲＬによる情報アクセスで本発明の同期表示システムの機能をそのまま利用できる。すなわち基本的には、エンドユーザーは従来のブラウザをそのまま利用でき、ユーザー自身のシステムを変える必要はない。
【００１２】
請求項２では、独立に入力された時間に依存する異種混合の複数のデータから自動生成されたデータ構造を利用して、統一時刻で同期表示させる手段を用いている。異種混合のデータに対応して生成したオブジェクトに埋め込まれている再生、停止、ジャンプ機能を利用し、複数のオブジェクト間で共通の時刻を持たせるとともに、共通時刻による同期を監視したり、個々のオブジェクトの再生時刻のずれや再生開始に必要な時間を調整することにより、各データの同期を取って再生、停止、指定時刻ジャンプという時間同期表示を実現する。
【００１３】
請求項３の発明は、独立に入力された位置に依存する異種混合の複数のデータから自動生成されたデータ構造を利用して、同一空間や同一地図上に同時表示させる手段を用いる。すなわち、異種混合のデータに対応して生成したオブジェクトに埋め込まれている位置情報を参照し、同一空間上に配置してオブジェクトの種類に従って地図や一つの空間座標系上に表示するＨＴＭＬ構造を生成し、拡大縮小移動により表示するＨＴＭＬ構造を生成し直すことにより空間同期表示を実現する。
【００１４】
請求項４の発明は、独立に入力された時間もしくは位置に依存する異種混合の複数のデータから自動生成されたデータ構造を利用して、統一時刻で同期表示させ、かつ該当時刻において同一空間や同一地図上に表示させる手段を用いている。すなわち、異種混合のデータに対応して生成したオブジェクトに埋め込まれている再生、停止、ジャンプ機能、および異種混合のデータに対応して生成したオブジェクトに埋め込まれている位置情報と時刻情報を利用し、共通時刻毎に空間同期表示を行うことにより、各データの同期をとって再生、停止、指定時刻ジャンプの表示を行うと同時に、各データを該当する時間に該当する位置に配置して、地図上への表示、拡大、縮小表示する機能を実現する。
【発明の効果】
【００１５】
本発明の同期表示システムを用いることによって得られる効果は以下の通りである。
（１）請求項１から得られる効果は、インターネット上の異種混合の複数のデータを一つのブラウザ上で即座に表示でき、表示に必要な作業時間を大幅に短縮することができることである。
（２）請求項２から得られる効果は、様々な独立した時系列情報の同期を取って再生できるようにし、従来できなかった各種情報の時系列の統合表示、シミュレーション、解析を可能にしたことである。
（３）請求項３から得られる効果は、様々な独立した位置に依存した情報を同一空間上で統合表示し、シミュレーション、解析を可能にしたことである。
（４）請求項４から得られる効果は、様々な独立した時系列情報と位置に依存するデータが時間と空間の同期をとって再生できるようになり、従来できなかった各種情報を統合して表示し、シミュレーション、解析を可能にしたことである。
（５）本発明の同期表示システムをサーバーにインストールすることにより、新しいタイプのコンテンツを生み出すプラットホームとすることができる。しかも、エンドユーザーはこれまで通りのシステムと操作で、本発明の機能が享受できる。またブラウザが受ける一つ一つの画面データは編集された表示用文書形式であるから、取り扱いやすくなっている。
【発明を実施するための最良の形態】
【００１６】
発明を実施するための最良の形態を図面を用いて説明する。図１は本発明の一実施例であるインターネット異種情報混合同期表示蓄積システム1（以下、「同期表示システム」と記述）の機器構成を示す。同期表示システムは図１に示すように、プログラムを実行制御するＣＰＵ2、プログラム実行中の状況を一時的に格納しておく短期記憶装置3、プログラムや各種データを格納する記憶装置4、インターネットでデータの入出力を行なう通信装置5、各種情報の表示を行なう表示装置6から構成される、ごく一般的なコンピュータシステムである。通常、同期表示システム1はサーバーにインストールされていて、プラットホームとして機能する。
【００１７】
図２は、本発明の同期表示システム1の機能ブロック構成である。表示データ登録編集部11は、表示するデータのＵＲＬ14を受け取り、ＵＲＬの拡張子に従って表示用オブジェクト15と同期制御オブジェクト16を生成し、表示データ管理テーブル17に登録する。データの種類によって、共通時計18と共通座標系19を決定する。同期制御表示部12は、共通時計18と共通座標系19を用いて、表示データ管理テーブル17に登録されている同期制御オブジェクト16を利用して、時間同期表示と空間同期表示を行う。コンテンツ保存・ロード部13は、表示されているデータの情報を保存データ20としてサーバーに保存したり、サーバーに保存されている保存データ20をロードして表示データを復元したりする。
【００１８】
表示データ登録編集部11の表示データ登録処理の流れを図３を用いて説明する。
＃１  ：  表示するデータのＵＲＬ14を受け取り、ＵＲＬで示されるデータの拡張子を取得する。
＃２  ：  拡張子がｗｍｖ（動画形式）か、またはａｓｆ（ストリーミング形式の一つでフォーマットはWindowsMediaVideo V7（登録商標））かを調べる。
＃３  ：  拡張子がｗｍｖかａｓｆならば、WindowsMediaPlayer（登録商標）用の同期制御オブジェクトを作成し、
＃４  ：  さらに、WindowsMediaPlayer（登録商標）用の表示用ＤＯＭ（Document Object Model）オブジェクトを作成する。なお、ＤＯＭはＷｅｂページの内容（文章、画像、音声等）およびそれらの配置、スタイルをオブジェクトとして扱い、スクリプト言語を使って制御するための取り決めである。従って、表示用ＤＯＭは画像用である。
＃５  ：  表示レイアウトを計算して表示用文書に配置し、
＃６  ：  表示データ管理部に追加する。
以上が、拡張子がｗｍｖかａｓｆの場合の一連の処理である。この処理によって、同期制御オブジェクトと表示用ＤＯＭオブジェクトが作成されたことになる。
【００１９】
＃２の＜ｗｍｖ｜ａｓｆ？＞のチェックで「ノー」となった場合、＃７以下の処理となる。
＃７  ：  拡張子がｓｗｆ（フラッシュファイル）かを調べる。
＃８  ：  ｓｗｆならばＦＬＡＳＨ用の同期制御オブジェクトを作成し、
＃９  ：  さらに、ＦＬＡＳＨ用の表示用ＤＯＭオブジェクトを作成する。
以下、ｗｍｖあるいはａｓｆの場合と同様に、表示レイアウトを計算して配置し（＃５）、表示データ管理部に追加する（＃６）。
【００２０】
拡張子がｃｓｖ（計算ソフトやデータベースソフトあるいは家計簿ソフトなどで選択できる保存形式）の場合には、同様に＃１１、＃１２、＃５、＃６と処理する。ほかの拡張子も対象の場合には、さらに拡張子チェック（＃２、＃７、＃１０のような判定）を行って制御オブジェクトの作成、表示用ＤＯＭオブジェクトの作成、表示レイアウトの計算（＃５）、表示データ管理テーブルに追加（＃６）を行う。
【００２１】
拡張子は非常に多い。ある意味ではソフトウェアごとにファイル形式があると言っても過言ではないが、ネットで広く使われている一般的なものをチェックすることになる。またｗｍｖとａｓｆのように似た形式のものもあるので、そのあたりを整理して処理を記述すると、すっきりしたプログラムになる。いずれにしろ、必要と思われるすべての拡張子チェックを行う（図３の［ここに拡張子毎の処理を繰り返す］と表記した部分に他の拡張子に対して＃２、＃３、＃４のような一連の処理が加わる）。これらのチェックをすべて実施しても拡張子が見つからない場合には、エラーメッセージを表示する（＃１３）。
【００２２】
同期制御表示部12の時間同期表示処理の流れを図４を用いて説明する。
＃１  ：  時間同期制御処理は、指定された時間間隔で実施される。最初に時間制御タイプがDynamicかどうかを調べる。時間制御タイプは、時間に依存するデータを含むとき、Dynamicと設定される。時間制御タイプがDynamicでなければ、時間同期制御処理を終了する。
＃２  ：  表示データ管理テーブルより、同期制御オブジェクトを一つ取り出し、取り出した同期制御オブジェクトを対象オブジェクトとする。
＃３  ：  取り出す同期制御オブジェクトがなくなったならば、時間同期制御処理を終了する。
＃４  ：  共通時刻を取得する。
＃５  ：  全体の再生状態を示す全体状態がPLAY（すなわち再生中）かどうかを調べる（全体状態＝PLAY？）。
＃６  ：  再生中（全体状態＝PLAY）なら、対象オブジェクトの再生状態を調べる（状態＝PLAY？）。
＃７  ：  対象オブジェクトの再生状態が再生中（状態＝PLAY）ならば、対象オブジェクトの再生時刻が共通時刻とズレているかチェックし、ズレている場合はズレを修正する。
＃８  ：  対象オブジェクトが再生中でない（状態≠PLAY）場合、対象オブジェクトの再生状態がSTOPかを調べる（状態＝STOP？）。
＃９  ：  対象オブジェクトの再生状態が再生停止中（状態＝STOP）ならば、対象オブジェクトが再生できる共通時刻かチェックし、再生できる時刻であれば、時刻を合わせて再生開始する。
＃１０：  対象オブジェクトの再生状態が再生停止中でない（状態≠STOP）場合、対象オブジェクトの再生状態がDESCRETEかを調べる（状態＝DESCRETE？）。
＃１１：  対象オブジェクトの再生状態が断続的ならば（状態＝DESCRETE）、共通時刻と対象オブジェクトの現在の表示状況と共通時刻における表示状況をチェックし、ずれている場合は共通時刻の表示にあわせる。
＃１２：  対象オブジェクトの再生状態がPLAYでもSTOPでもDESCRETEでもない場合はエラーメッセージを表示する。
＃１３：  ＃５で全体状態が再生状態でないとき、全体の再生状態を示す全体状態がSTOP（すなわち再生停止中）かどうかを調べる（全体状態＝STOP？）。
＃１４：  全体状態が再生停止中（全体状態＝STOP）なら、対象オブジェクトの再生状態を調べる（状態＝PLAY？）。
＃１５：  対象オブジェクトの再生状態がPLAY（状態＝PLAY）ならば、対象オブジェクトの再生を停止する。
＃１６：  対象オブジェクトが対象オブジェクトの再生状態が再生停止中かを調べる（状態＝STOP？）。停止中（状態＝STOP）なら次の同期制御オブジェクトの処理（＃２）へ。停止でないとき（状態≠STOP）、＃１７へ。
＃１７：  対象オブジェクトの再生状態が断続的かを調べる（状態＝DESCRETE？）。
＃１８：  状態が断続的（状態＝DESCRETE）の場合、共通時刻と対象オブジェクトの現在の表示状況と共通時刻における表示状況をチェックし、ずれている場合は共通時刻の表示にあわせる。
＃１９：  対象オブジェクトの再生状態がPLAYでもSTOPでもDESCRETEでもない場合はエラーメッセージを表示する。
＃２０：  ＃１３の判断で全体状態が再生停止中でない（全体状態≠STOP）場合、すなわち全体の再生状態を示す全体状態がPLAYでもSTOPでもない場合はエラーメッセージを表示する。
【００２３】
同期制御表示部12の空間同期表示処理の流れを図５を用いて説明する。空間同期制御処理は、指定された時間間隔で実施される。
＃１  ：  最初に空間制御タイプがDynamicかどうか調べる。空間制御タイプは、位置に依存するデータを含むとき、Dynamicと設定される。空間制御タイプがDynamicでなければ、空間同期制御処理を終了する。
＃２  ：  表示データ管理テーブルより、同期制御オブジェクトを一つ取り出し、取り出した同期制御オブジェクトを対象オブジェクトとする。
＃３  ：  処理すべき同期制御オブジェクトがあるかどうかを調べる。取り出す同期制御オブジェクトがなくなったならば、空間同期制御処理を終了する。ある場合は、＃４へ。
＃４  ：  対象オブジェクトの空間表示タイプを調べる。設定されていない場合は、そのデータは空間表示を行うデータではないので、その対象オブジェクトの処理を終了する。設定されている場合は、＃５へ。
＃５  ：  共通座標系を取得する。
＃６  ：  対象オブジェクトを共通座標系に基づいて空間表示する。
【００２４】
コンテンツ保存・ロード部13の保存処理の流れを図６を用いて説明する。
＃１  ：  出力バッファ全体の属性データをＸＭＬ形式で設定する。なおＸＭＬファイルは、記述形式がＨＴＭＬと同じタグによるマークアップ言語であるが、タグの要素を自由に記述できるという利点がある。  
＃２  ：  表示データ管理テーブルより、同期制御オブジェクトを一つ取り出す。
＃３  ：  ＃２で取り出すオブジェクトがない場合には、＃６以下の終了処理へ。それ以外は＃４へ。
＃４  ：  対象オブジェクトのＸＭＬデータを取得する。
＃５  ：  出力バッファにＸＭＬデータを追加し、次の同期制御オブジェクトの処理に行く（＃２に戻る）。
＃６  ：  出力バッファにＸＭＬ終了を設定する。
＃７  ：  出力バッファをサーバーへ送信する。サーバーでコンテンツが記憶媒体に保存される。
【００２５】
コンテンツ保存・ロード部13のロード処理の流れを図７を用いて説明する。
＃１  ：  サーバーから保存ＸＭＬデータを取得する。
＃２  ：  全体の属性データを取得する。
＃３  ：  表示部のデータを一つ取り出す。
＃４  ：  ＃３の処理でデータがない場合は表示開始処理＃９へ行き、それ以外は＃４以下の処理となる。
＃５  ：  対象表示データの同期制御オブジェクトを作成する。
＃６  ：  対象表示データの表示用ＤＯＭオブジェクトを作成する。
＃７  ：  表示用ＤＯＭの位置、サイズを設定する。
＃８  ：  表示データ管理テーブルに同期制御オブジェクトを追加し、次の表示データ処理に行く（＃３に戻る）。
＃９  ：  表示データ管理テーブルのデータを表示する。
【実施例】
【００２６】
本発明のインターネット異種情報混合同期表示蓄積システム（同期表示システム）は、グループ内のＬＡＮサーバーにインストールして使用することもできるし、またインターネットサイトのプラットホームとして使用することもできる。図８はインターネットの上の情報提供サービスセンターサイトのプラットホームに同期表示システムを組み込んだ例である。情報提供サービスセンター50は、複数のコンピュータ51、52、53から構成され、ＬＡＮでつながっている。同期表示メインサーバー51がすべてのサブサーバー52、53およびコンテンツを管理している。例えば、エンドユーザー60から保存データのロード要請（アクセス）があった場合には、メインサーバー51が窓口となり、コンテンツ管理テーブルの内容からどのサブサーバーがデータ（コンテンツ）を有しているかをチェックし、データを所有するサブサーバーにロード命令を発令する。サブサーバーは要請のあった保存データを記録媒体から取り出し、インターネット90を通じてユーザーに送信する。このとき、メインサーバーを介してもよいし、介さなくてもよいが、処理結果は必ずメインサーバーに知らせる。
【００２７】
一方、インターネット90を通じてエンドユーザー60からＵＲＬ指定でデータアクセス要請があった場合、メインサーバー51が要請を受け、データ受信処理をどのサブサーバーにするかを決める。サブサーバーが決定したら、メインサーバーはユーザー要請の処理をサブサーバーに命じる。サブサーバーはＵＲＬをもとに情報提供先70をアクセスし、ユーザーの要求する情報を入手し、動的コンテンツを作成・保存し、コンテンツをインターネット90でユーザーに送信する。このとき、メインサーバーを通してもよいし、直接サブサーバー52、53等で行ってもよい。ただし、処理結果については必ずメインサーバーに知らせ、メインサーバーのコンテンツ管理テーブルに登録し、今後の情報管理に使用する。サービスセンターからコンテンツを受けたユーザー端末（コンピュータ）は、コンテンツをディスプレイに表示する。
【産業上の利用可能性】
【００２８】
上記のようなサービスセンターでは、独立に存在する複数の動的な情報（時系列情報、時系列イベント情報、動的コンテンツなど）を統合し、同期によって再生できる。例えば、複数のカメラで撮影した映像を関連して再生したり、経済情報を時系列に同期をとって検証したり、シミュレーションが行える。具合的に以下のような分野に応用が可能である。
・複数のカメラ映像の同期再生（スポーツなど）。
・実験結果、実験映像の連係再生。
・手術中の映像、計測値の連係再生。
・経済情報、発生事象のシミュレート、検証。  
・災害被害状況のシミュレート、検証。  
・歴史的事象、時系列情報の連係再生、検証。
・政策関連数値情報の連係分析。
・天文観察情報の同期再生、検証。
【図面の簡単な説明】
【００２９】
【図１】本発明の同期表示システムのハードウェア構成図である。
【図２】本発明の同期表示システムの機能ブロック図である。
【図３】表示データ登録編集部の表示データ登録処理の流れを説明するためのフローチャートである。
【図４】同期制御表示部の時間同期表示処理の流れを説明するためのフローチャートである。
【図５】同期制御表示部の空間同期表示処理の流れを説明するためのフローチャートである。
【図６】コンテンツ保存・ロード部の保存処理の流れを説明するためのフローチャートである。
【図７】コンテンツ保存・ロード部のロード処理の流れを説明するためのフローチャートである。
【図８】情報提供サービスセンターのサーバーのプラットホームに同期表示システムを組み込んだときの、データのつながりと流れを説明するためのハードウェア構成図である。
【符号の説明】
【００３０】
１          インターネット異種情報混合同期表示蓄積システム
２          ＣＰＵ
３          短期記憶装置
４          記憶装置
５          通信装置
６          表示装置
１１        表示データ登録編集部
１２        同期制御表示部
１３        コンテンツ保存・ロード部
１４        表示するデータのＵＲＬ
１５        表示用オブジェクト
１６        同期制御オブジェクト
１７        表示データ管理テーブル
１８        共通時計
１９        共通座標系
２０        保存データ
５０        情報提供サービスセンター
５１        メインサーバー
５２・５３  サブサーバー
６０        エンドユーザー
６１・６２  ユーザー
７０        情報提供先
７１        時系列データ
７２        動的映像データ
９０        インターネット
【図１】
2008090595.tif 000003
【図２】
2008090595.tif 000004
【図３】
2008090595.tif 000005
【図４】
2008090595.tif 000006
【図５】
2008090595.tif 000007
【図６】
2008090595.tif 000008
【図７】
2008090595.tif 000009
【図８】
2008090595.tif 000010